(57)【要約】【課題】乳幼児のマットレス又はベビーベッド下方に設置可能なベビーベッド用付属品。【解決手段】可動プレートがベビーベッドマットレスを叩打するためにリズミカルに上下に揺動し、乳幼児を慰める。【選択図】図２
2007521086.tif 000002
【特許請求の範囲】
【請求項１】
マットレス下面に係合する手段と、前記マットレス下面に係合する手段を実質的に垂直方向に揺動する手段とを有する装置であって、前記マットレス下面に係合する手段が水平アームの一端に装着され、前記垂直方向に揺動する手段が前記水平アームの他端に装着されたベビーベッド叩打装置。
【請求項２】
回転軸が前記水平アームの下方に配置され、前記マットレス下面に係合する手段が前記回転軸の一方に装着され、前記垂直方向に揺動する手段が前記回転軸の他方に装着された請求項１に記載のベビーベッド叩打装置。
【請求項３】
前記マットレス下面に係合する手段がパッドであり、該パッドがネジ柱により前記水平アームに固定されている請求項１に記載のベビーベッド叩打装置。
【請求項４】
前記パッドが前記水平アームの上面に装着された請求項３に記載のベビーベッド叩打装置。
【請求項５】
前記垂直方向に揺動する手段が金属板及び該金属板を誘引する手段であり、前記金属板が前記水平アームの前記他端に固定され、前記金属板を誘引する手段が前記水平アームの下方に装着された請求項１に記載のベビーベッド叩打装置。
【請求項６】
前記金属板を誘引する手段が電磁石である請求項５に記載のベビーベッド叩打装置。
【請求項７】
前記金属板を誘引する手段がソレノイドである請求項５に記載のベビーベッド叩打装置。
【請求項８】
前記垂直方向に揺動する手段がカムである請求項１に記載のベビーベッド叩打装置。
【請求項９】
前記カムが前記水平アームの上面に偏心装着され、回転しながら前記上面に係合する請求項８に記載のベビーベッド叩打装置。
【請求項１０】
前記垂直方向に揺動する手段が前記水平アームの一端に固定される第２アームであり、前記第２アームが他端で車輪及び該車輪を回転させる手段に固定されている請求項１に記載のベビーベッド叩打装置。
【請求項１１】
前記第２アームが前記車輪の中心からオフセットした点で前記車輪に固定されている請求項１０に記載のベビーベッド叩打装置。
【請求項１２】
前記車輪を回転させる手段が第２車輪であり、前記第２車輪が前記車輪の軸周上に      係合する請求項１０に記載のベビーベッド叩打装置。
【請求項１３】
前記第２車輪がモータで回転する請求項１２に記載のベビーベッド叩打装置。
【請求項１４】
前記垂直方向に揺動する手段がピストンである請求項１に記載のベビーベッド叩打装置。
【請求項１５】
前記ピストンがハウジング内に装着され、前記ピストンと前記水平アームの距離を調整する調整手段が前記ピストンの上方に装着された請求項１４に記載のベビーベッド叩打装置。
【請求項１６】
前記調整手段が複数のリブを有し、前記リブが前記調整手段の外面に配置され、前記リブが垂直方向に隔設されることで前記リブ間に複数の条が形成され、前記ハウジングが前記調整手段を複数の垂直位置に支持するために前記条内に嵌装される突起を有する請求項１５に記載のベビーベッド叩打装置。
【請求項１７】
前記リブが、少なくとも一の溝が形成されるように水平方向に隔設され、前記突起を前記条間で揺動するため、前記突起が前記溝に嵌合する請求項１６に記載のベビーベッド叩打装置。
【請求項１８】
前記調整手段と前記ピストンの間にバネが装着された請求項１６に記載のベビーベッド叩打装置。
【発明の詳細な説明】
【技術分野】
【０００１】
本発明は、概して、ベビーベッド用付属品に関し、特に、乳幼児を慰めるために叩打音や振動を発生させるベビーベッド用付属品に関する。
【背景技術】
【０００２】
先行技術において、様々な種類のベビーベッド用付属品が提案されている。例えば特許文献１は回転可能なカムの作用により離反される２のヒンジ要素を備えたベビーベッド叩打装置を開示している。
【０００３】
特許文献２は、叩打装置をベビーベッド底部に設置する為の調整可能なフレームを有するベビーベッド叩打装置を開示している。
【０００４】
特許文献３は、当該装置作動のために、ベビーベッド底部に連結されたバウンサーハウジングを有するベビーベッドバウンサー及びカムを開示している。
【０００５】
特許文献４は、当該装置作動のために、電磁気を使用したベビーベッド揺動装置を開示している。
【特許文献１】米国特許No.6,142,963
【特許文献２】米国特許No.4,951,331
【特許文献３】米国特許No.3,529,311
【特許文献４】米国特許No.3,261,032
【発明の開示】
【発明が解決しようとする課題】
【０００６】
本発明は、乳幼児のベビーベッド下方に設置できるベビーベッド用付属品を対象とする。可動プレートが、ベビーベッドを叩打するためにリズミカルに上下に揺動し、乳幼児を慰める。
【０００７】
本発明のこれらと他の目的及び利点は、下記の説明を添付図面と一緒に考慮した場合、十分明白である。
【０００８】
本発明の目的は、新規かつ改良されたベビーベッド叩打装置を提供することである。
【０００９】
本発明の目的は、ベビーベッド下方へ容易に移動できる新規かつ改良されたベビーベッド叩打装置を提供することである。
【００１０】
本発明の目的は、様々な装置により動力供給できる新規かつ改良されたベビーベッド叩打装置を提供することである。
【発明を実施するための最良の形態】
【００１１】
以下、図面を参照してより詳細に説明するが、図１は本発明１の概略図を示す。筐体又は支持体２が、任意の従来の方法でそこへ装着される電磁石１５を支持する。金属板７は回転軸１９の回りを回転するアーム１８に装着される。パッド２０は、図２のパッド２０と同様、ネジ柱２１によりアーム１８の端部に装着される。磁石１５が励磁されると、プレート７を下方に誘引し、アーム１８の反対端、即ちパッド２０を備えた端部を引き上げる。パット２０が引き上げられると、ベビーベッド下方やベビーベッド上のマットレスに叩打揺動を与え、マットレス上の乳幼児を慰める。磁石１５が非励磁されると、乳児の重さが、パッド２０を備えるアーム１８の端部を下降させる。
【００１２】
図２に示された装置は、若干異なる方法で、図１の装置と同様の結果を達成する。ピストン１７はハウジング１６に装着され、図１のプレート７及び磁石１５の操作と同様に、電磁石又はソレノイド１５の制御の下で上下に揺動する。ピストン１７は任意の従来の方法でアーム１８に装着される。ピストン１７が、磁石又はソレノイド１５の引張力の下で図２に示された位置より下方へ移動することで、バー１９上で回転するアーム１８が下方へ引かれる。図２に見られるようにアーム１８の左側は、アーム１８の左側が下方へ揺動された場合にベビーベッドのマットレス下部を叩打するパッド２０を有する。パッド２０は、パッド２０の高さを上下に調整できるようにアーム１８のネジ孔に係合するネジ柱２１によりアーム１８に連結される。図１における装置のように、ソレノイド又は磁石１５への動力供給が停止されると乳児の重さがアーム１８の左端を下降させる。図１及び２において使用される磁石／ソレノイド１５は、磁石／ソレノイド１５をオン、オフするために繰り返しを行う従来のスイッチＡＣ又はＤＣ電源によって操作することができる。
【００１３】
図３の装置は図２で使用される装置と同じアーム１８及び回転軸１９を使用するが、アーム１８は２３で偏心装着されたカム２２により上下に揺動される。カム２２は任意の従来のモータ（図示なし）により動力供給される。図３に示されるように、カムが回転しながらアーム１８の右側を押下し、図２の装置と同じ方法でベビーベッドを叩打するパッド２０（図３に明示なし）を備えるアーム１８の左側を引き上げる。
【００１４】
図４の装置は、アーム１８を回転軸１９の回りに揺動する別の種類の揺動手段である。この装置では、モータ２８がゴム車輪２９を回転させる。車輪２９は車輪２６をポイント２７の回りで回転させる。アーム２４はポイント３０で車輪２６の片端に連結され、他端はポイント２５でプレート１８に連結される。車輪２６は回転しながらアーム２４を上下に揺動し、アーム１８を上下に揺動し、パッド２０（図４に明示なし）を備えるアーム１８の左側を引き上げ、図１、図２及び図３の装置と同じ方法でベビーベッドを叩打する。
【００１５】
図５において示される装置は、図２において示される移動手段１６、１７の調整装置である。ハウジング３６はピストン１７の上方でバネ３５を支持する。図５に示されるように、ハウジング３６はピストン１７及びバネ３５を収納する。当該ハウジングはハウジングの上方に固定された調整装置３４を有する。装置３４は、隔設突起３２間に条を形成するために装置３４の外面に沿って垂直方向に隔設された複数の隔設突起３２を有する。突起３２はまた突起間に少なくとも一の溝３３を形成するために水平方向に隔設される。当該ハウジングはハウジングの上部に直角突起（図６参照）を有する。装置３４は、突起３１を溝３３と整合させ、当該装置を揺動し、当該装置がユーザの要望通り配置された場合、突起３１が二の突起３２の間に設置されるまで装置３４を回転させ、装置３４をハウジング３６に係止することにより、ハウジング３６内で上下に揺動できる。装置３４をハウジング内への下方移動させることはバネ３５を圧縮し、ピストンがプレート１８を下方に移動させることを容易にする。
【００１６】
本発明によるベビーベッド叩打装置及びその使用方法は、前述の明細書においてかなり詳細に説明されているが、当然のことながら当該発明について添付の請求項の範囲を超えない改良が施される可能性があり、他の当業者による当発明に関する本発明の変更態様は、それらの変更態様が当発明の請求の範囲に該当する場合、侵害とみなされる。
【図面の簡単な説明】
【００１７】
【図１】本発明の概略図である。
【図２】本発明の別の実施例の部分側面図である。
【図３】本発明の別の実施例の部分図である。
【図４】本発明の別の実施例の部分図である。
【図５】本発明の別の実施例の部分図である。
【図６】図５の装置の一要素の部分図である。
【図１】
2007521086.tif 000003
【図２】
2007521086.tif 000004
【図３】
2007521086.tif 000005
【図４】
2007521086.tif 000006
【図５】
2007521086.tif 000007
【図６】
2007521086.tif 000008
【国際調査報告】
2007521086.tif 000009